(57)【要約】【課題】  ランプが立ち消えになった場合における作業の安全性を向上させたバルーン照明機を提供する。【解決手段】  本発明に係るバルーン照明機は、バルーン支持部およびバルーン支持部に支持された照明バルーン４を備えて構成され、照明バルーン４が、主光源としてのメタルハライドランプ５１と、メタルハライドランプ５１より光束および演色性が低い白熱ランプ５２と、メタルハライドランプ５１および白熱ランプ５２を内部に有するバルーン４０とを有し、バルーン４０にメタルハライドランプ５１もしくは白熱ランプ５２からの光を透過させて発光するように構成されており、メタルハライドランプ５１が再点灯に時間を要するランプで、白熱ランプ５２が瞬時に再点灯可能なランプであり、メタルハライドランプ５１および白熱ランプ５２が互いに独立して点灯および消灯可能に構成されている。【選択図】  図２
2006120514.tif 000002
【特許請求の範囲】
【請求項１】
バルーン支持部および前記バルーン支持部に支持された照明バルーンを備えて構成され、
前記照明バルーンが、主光源としての高輝度点灯ランプと、前記高輝度点灯ランプの消灯時に補助的に点灯させるための前記高輝度点灯ランプより光束および演色性が低い補助ランプと、前記高輝度点灯ランプおよび前記補助ランプを内部に有するバルーンとを有し、
前記バルーンに前記高輝度点灯ランプもしくは前記補助ランプからの光を透過させて発光するように構成されており、
前記高輝度点灯ランプが再点灯に時間を要するランプで、前記補助ランプが瞬時に又は短時間で再点灯可能なランプであり、
前記高輝度点灯ランプおよび前記補助ランプが互いに独立して点灯および消灯可能に構成されていることを特徴とするバルーン照明機。
【請求項２】
前記高輝度点灯ランプを前記バルーンの内部中央に固定保持するランプ保持部を備え、
前記補助ランプが前記高輝度点灯ランプの近傍で前記ランプ保持部に固定保持されることを特徴とする請求項１に記載のバルーン照明機。
【請求項３】
前記バルーン支持部が、移動自在の台車と、前記台車上に配設されて上端が前記照明バルーンと連結される昇降装置とを有して構成されることを特徴とする請求項１もしくは請求項２に記載のバルーン照明機。
【請求項４】
前記バルーン支持部が、折り畳み可能な三脚と、前記三脚上に配設されて上端が前記照明バルーンと連結される伸縮可能な支持装置とを有して構成されることを特徴とする請求項１もしくは請求項２に記載のバルーン照明機。
【発明の詳細な説明】
【技術分野】
【０００１】
本発明は、工事現場やイベント会場等の夜間照明用に使用されるバルーン照明機に関する。
【背景技術】
【０００２】
バルーン照明機は、工事現場やイベント会場等の電源供給設備がない屋外において、エンジン式発電機やバッテリを電源として照明を行うものである。バルーン照明機に用いられる照明バルーンは、光源としての１灯のＨＩＤランプと、このＨＩＤランプを内部に有する伸縮自在なバルーンとを有して構成され、ＨＩＤランプからの光をバルーンに透過させることで発光するようになっている（例えば、特許文献１を参照）。ＨＩＤランプ（High Intensity Discharge Lamps）は、金属蒸気中の放電によって発光するメタルハライドランプや、高圧ナトリウムランプ、水銀ランプの総称で、高輝度放電ランプ（高輝度放電灯）とも称される。バルーン照明機に用いられるＨＩＤランプとして、例えば、１０００Ｗのメタルハライドランプが使用され、図５に示すような点灯回路と繋がっている。
【０００３】
図５に示すように、従来の点灯回路は、１灯のメタルハライドランプ１０１が安定器１１０を介して交流電源１０２（１００Ｖ）と電気的に接続される構成となっている。なお、安定器１１０は、いわゆるチョークコイル形安定器（銅鉄式安定器）であり、チョークコイル１１１と、チョークコイル１１１と直列に接続された温度ヒューズ１１２および電流ヒューズ１１３と、チョークコイル１１１と並列に接続された力率向上のためのコンデンサ１１４および抵抗１１５とを有して構成されている。
【特許文献１】特開２００４−９５５１７号公報
【発明の開示】
【発明が解決しようとする課題】
【０００４】
ところで、供給電圧の急激な変動や瞬断によりＨＩＤランプ（メタルハライドランプ）の立ち消えが生じる場合があり、このとき照度は０ルクスとなる。立ち消えが生じた場合には、電源スイッチを再投入することによってＨＩＤランプを点灯させることができるが、点灯時の発熱により発光管が高温状態で、かつ発光管内の圧力が高い状態にあり、放電電圧が高くなるため、安定器からの引加電圧では放電が行われず点灯ができない。発光管が自然冷却し、放電電圧が安定器からの引加電圧まで低下すると再び放電を開始し、発光管は徐々に光束を増して定格光束に達する。この間１５分程度の時間を必要とし、周囲に他の光源がない場合には暗闇となる。そのため、人為的なスイッチ操作のミスあるいは供給電圧の急激な変動や瞬断によるＨＩＤランプの立ち消えが生じた場合において、少なくとも足下の視認が可能な程度の照度を確保することが望ましい。
【０００５】
また、バルーン照明機を工事現場において使用する場合、一般に、１０００Ｗ級のＨＩＤランプ（メタルハライドランプ）による高い照度の照明にのみ対応しており、ＨＩＤランプ自体は大幅な輝度の調節ができないため、工事終了後の夜間においては、防犯用常夜灯として低照度かつ周囲を適度な明るさに保つことに対応できない。やむをえずＨＩＤランプを点灯させれば経済的にも省エネルギーの観点からも無駄が多く、さらに住宅地においては光害となり周辺住民からの苦情を受けることにもなり、適切な対応とはいえない。
【０００６】
さらに、バルーン照明機をイベント会場や夜店で使用する場合、ＨＩＤランプ（メタルハライドランプ）が発する光は高い演色性を有してかつ十分に高い照度を必要とする場合に適しているが、同一の使用場所において前記とは逆に行灯（あんどん）のような低照度かつ赤色系の低い演色性を有する照明シーンを演出したい場合がある。しかしながら、ＨＩＤランプは大幅な照度および演出性の調節ができないのでその対応が不可能である。
【０００７】
本発明は、このような問題に鑑みてなされたものであり、ランプが立ち消えになった場合における作業の安全性を向上させたバルーン照明機を提供することを目的とする。
【課題を解決するための手段】
【０００８】
このような目的達成のため、本発明に係るバルーン照明機は、バルーン支持部（例えば、実施形態における台車２および昇降装置３）およびバルーン支持部に支持された照明バルーンを備えて構成され、照明バルーンが、主光源としての高輝度点灯ランプ（例えば、実施形態におけるメタルハライドランプ５１）と、高輝度点灯ランプの消灯時に補助的に点灯させるための高輝度点灯ランプより光束および演色性が低い補助ランプ（例えば、実施形態における白熱ランプ５２）と、高輝度点灯ランプおよび補助ランプを内部に有するバルーンとを有し、バルーンに高輝度点灯ランプもしくは補助ランプからの光を透過させて発光するように構成されており、高輝度点灯ランプが再点灯に時間を要するランプで、補助ランプが瞬時に又は短時間で再点灯可能なランプであり、高輝度点灯ランプおよび補助ランプが互いに独立して点灯および消灯可能に構成されている。
【０００９】
また、上述の発明において、高輝度点灯ランプをバルーンの内部中央に固定保持するランプ保持部（例えば、実施形態における上側プレート部材６５）を備え、補助ランプが高輝度点灯ランプの近傍でランプ保持部に固定保持されることが好ましい。
【００１０】
さらに、上述の発明において、バルーン支持部が、移動自在の台車と、台車上に配設されて上端が支持側連結部材と連結される昇降装置とを有して構成されることが好ましい。
【００１１】
また、上述の発明において、バルーン支持部が、折り畳み可能な三脚と、三脚上に配設されて上端が照明バルーンと連結される伸縮可能な支持装置とを有して構成されてもよい。
【発明の効果】
【００１２】
本発明によれば、高輝度点灯ランプおよび補助ランプが互いに独立して点灯および消灯可能に構成されているため、高輝度点灯ランプ（例えば、メタルハライドランプ）が立ち消えになった場合、これが再点灯するまでの間、補助ランプを点灯させることで補助照明として機能させることができることから、ランプが立ち消えになった場合における作業の安全性を向上させることができる。
【００１３】
また、補助ランプを点灯させることでバルーン照明機を防犯用常夜灯として使用することができ、高輝度点灯ランプ（例えば、メタルハライドランプ）を点灯する場合に比べて大幅な省エネルギー化、およびエネルギーコストの削減が可能である。さらに、補助ランプは高輝度点灯ランプより光束および演色性が低くなっているため、１台のバルーン照明機で、高輝度点灯ランプの点灯による照度および演色性が高い照明シーンと、補助ランプの点灯による照度および演色性が低い照明シーンの２つの照明シーンを作り出すことができる。
【００１４】
また、補助ランプが高輝度点灯ランプの近傍でランプ保持部に固定保持されることで、補助ランプから発せられた光がバルーンの内面全体を一様に照らすため、輝度ムラが少なく、ほぼ一様な明るさを有する光を照明バルーンから発することができる。
【００１５】
さらに、バルーン支持部が、移動自在の台車と、台車上に配設された昇降装置とを有して構成されることで、バルーン照明機を容易に移動させることができるとともに、バルーン照明機（照明バルーン）の高さを容易に変えることができる。
【００１６】
また、バルーン支持部が、折り畳み可能な三脚と、三脚上に配設されて上端が照明バルーンと連結される伸縮可能な支持装置とを有して構成されることで、バルーン照明機をよりコンパクトに収納することができる。
【発明を実施するための最良の形態】
【００１７】
以下、本発明の好ましい実施形態について図面を参照しながら説明する。本発明に係るバルーン照明機１を図１に示している。このバルーン照明機１は、移動自在の台車２と、この台車２上に搭載された伸縮可能な昇降装置３と、昇降装置３に支持された照明バルーン４とを主体に構成される。
【００１８】
台車２は、左右一対の前輪２１および後輪２２を備えて、移動自在に構成されており、バルーン照明機１を容易に移動させることができるようになっている。台車２には、前後輪２１，２２の方向変換用の操向ハンドル２３や、後輪２２を制動するブレーキ装置２４、左右一対のアウトリガー２５等が設けられている。そして、台車２上には、昇降装置３や、照明バルーン４に電力を供給可能なエンジン式の発電機２６が搭載されている。
【００１９】
昇降装置３は、台車２上に立設固定された第１マスト３１と、第１マスト３１内に出入り自在に挿嵌された第２マスト３２と、第２マスト３２内に出入り自在に挿嵌された第３マスト３３とを主体に構成され、この第３マスト３３の上端部に照明バルーン４が取り付けられる。そして、第２マスト３２及び第３マスト３３は、第１マスト３１に配設されたウィンチ３５のハンドル３６を回してワイヤーロープ３７を巻き取ることにより、第３マスト３３、第２マスト３２の順に段階的に上昇し、ウィンチ３５のハンドル３６を逆回転してワイヤーロープ３７を繰り出すことにより、第２マスト３２、第３マスト３３の順に段階的に下降するようになっている。
【００２０】
照明バルーン４は、図２に示すように、薄い可撓性の材料からなる膨張可能なバルーン４０と、このバルーン４０内の中央に配設された照明装置５０と、バルーン４０を膨張させるバルーン膨張装置５５とを備えて構成され、照明装置５０からの光をバルーン４０に透過させることで発光するようになっている。
【００２１】
バルーン４０は、図１および図２に示すように、膨張状態において略楕円形態を呈し、長軸に沿って上下の半楕円部４１，４２に分割され、これら上下の半楕円部４１，４２をつなぎ合わせて形成されている。バルーン４０の材料としては、例えば、プラスチック処理が施された白色の布や、単純な白色のプラスチック製フィルム等がある。そして、上側の半楕円部４１の内側は、アルミコーティングされた光反射板になっている。なお、下側の半楕円部４２の下部には、複数のエア抜き穴（図示せず）が形成されている。
【００２２】
照明装置５０は、図２に示すように、主光源としてのメタルハライドランプ５１と、メタルハライドランプ５１より輝度の低い白熱ランプ５２と、メタルハライドランプ５１および白熱ランプ５２を囲むガード部材５３と、これらを支持する支持脚部６０とを備えて構成される。メタルハライドランプ５１は、金属蒸気（水銀および金属ハロゲン化物）が充填された発光管（図示せず）を主体に構成され、金属蒸気中の放電によって発光するようになっている。また、メタルハライドランプ５１の電力は１０００Ｗである。白熱ランプ５２の電力は４０Ｗであり、メタルハライドランプ５１より光束および演色性が低くなるようになっている。なお、白熱ランプ５２は瞬時に（又は短時間で）再点灯可能なランプである。
【００２３】
ガード部材５３は、金属材料を用いて筒形柵状に形成され、メタルハライドランプ５１および白熱ランプ５２の上方を囲むように支持脚部６０の上側プレート部材６５に取り付けられる。これにより、バルーン４０の収縮時に、バルーン４０が高温のメタルハライドランプ５１もしくは白熱ランプ５２に接触して損傷（溶融等）してしまうのを防止することができるようになっている。なお、ガード部材５３の上部には振れ止め部材５８が取り付けられており、メタルハライドランプ５１の上部を固定保持して、輸送時の衝撃によるメタルハライドランプ５１の損傷を防止するようになっている。また、ガード部材５３の上端には、バルーン４０の天井部に繋がって設けられたバルーンクリップ５９が係止しており、強風時にバルーン４０が揺れるのを防止するようになっている。
【００２４】
支持脚部６０は、図２に示すように、照明バルーン４の下方に突出する脚部材６１と、脚部材６１の上端に連結された下側プレート部材６２と、下側プレート部材６２の上面側に取り付けられた筒部材６３と、筒部材６３の上端に取り付けられた上側プレート部材６５とを有して構成される。脚部材６１は、金属材料を用いて丸棒状に形成され、上端が下側プレート部材６２の下面側に連結されるとともに、下端がバルーン連結部７０に連結される。
【００２５】
バルーン連結部７０は、図１に示すように、第３マスト３３（昇降装置３）の上端に設けられており、このバルーン連結部７０に脚部材６１の下端を連結させることで、照明バルーン４が第３マスト３３の上端に取り付けられるようになっている。なお、バルーン連結部７０に設けられた傾斜ハンドル７１を回転させることで、照明バルーン４を鉛直状態から水平状態まで傾斜させることができるようになっている。
【００２６】
下側プレート部材６２は、金属材料を用いて円盤状に形成され、図２に示すように、バルーン４０の下端部に対しバルーン４０の開口部（図示せず）を塞ぐように取り付けられる。下側プレート部材６２の下面側は溶接により脚部材６１の上端と連結され、下側プレート部材６２の上面側には筒部材６３が取り付けられている。下側プレート部材６２には、多数の小孔（図示せず）が形成されており、バルーン４０の内外へ空気が通過できるようになっている。
【００２７】
筒部材６３は、金属材料を用いて筒状に形成され、図２に示すように、ネジ等の固定手段により下側プレート部材６２の上面側、すなわちバルーン４０の内部に取り付けられる。筒部材６３の内部には、バルーン４０を膨張させるバルーン膨張装置５５が設けられている。バルーン膨張装置５５は、空気を送風可能なシロッコファン５６を主体に構成され、このシロッコファン５６を作動させることで、外部空気が下側プレート部材６２の小孔（図示せず）からバルーン４０の内部に送り込まれるようになっている。
【００２８】
上側プレート部材６５は、金属材料を用いて円盤状に形成され、図２に示すように、ネジ等の固定手段により筒部材６３の上端部（すなわち、バルーン４０の内部）に取り付けられる。上側プレート部材６５の中央上面側には、ＨＩＤ用モーガルソケット６６が取り付けられており、このＨＩＤ用モーガルソケット６６にメタルハライドランプ５１が立設されるようになっている。これにより、上側プレート部材６５（支持脚部６０）を用いてメタルハライドランプ５１がバルーン４０の内部中央に固定保持される。
【００２９】
上側プレート部材６５の上面側におけるＨＩＤ用モーガルソケット６６の近傍には、電球用ソケット６７が取り付けられており、この電球用ソケット６７に白熱ランプ５２が立設されるようになっている。これにより、上側プレート部材６５（支持脚部６０）を用いて白熱ランプ５２がメタルハライドランプ５１の近傍で固定保持される。また、上側プレート部材６５には、複数の通風孔（図示せず）が形成されており、バルーン膨張装置５５により下側プレート部材６２の小孔（図示せず）および筒部材６３の内部を通過した空気がこの通風孔を通過してバルーン４０の内部に達するようになっている。
【００３０】
なお、メタルハライドランプ５１は、図３に示すように、安定器８０を介して交流電源９０（１００Ｖ）と電気的に接続されおり、電源側に設けられた第１スイッチ９１をオン・オフさせることで、メタルハライドランプ５１が点灯および消灯するようになっている。安定器８０は、いわゆるチョークコイル形安定器（銅鉄式安定器）であり、チョークコイル８１と、チョークコイル８１と直列に接続された温度ヒューズ８２および電流ヒューズ８３と、チョークコイル８１と並列に接続された力率向上のためのコンデンサ８４および抵抗８５とを有して構成されている。なお、本実施形態において、交流電源９０とは発電機２６のことである。
【００３１】
また、白熱ランプ５２は、メタルハライドランプ５１に対し並列に交流電源９０と電気的に接続されおり、第１スイッチ９１と並列に設けられた第２スイッチ９２をオン・オフさせることで、白熱ランプ５２が点灯および消灯するようになっている。これにより、メタルハライドランプ５１および白熱ランプ５２を互いに独立して点灯および消灯させることが可能になり、メタルハライドランプ５１の消灯時に白熱ランプ５２を補助的に点灯させることが可能になる。
【００３２】
このように構成されるバルーン照明機１を用いて照明を行うには、まず、バルーン照明機１を所望の場所に移動させ、昇降装置３を用いて照明バルーン４を所望の高さまで上昇させた後、バルーン膨張装置５５を作動させてバルーン４０を膨張させる。このとき、バルーン膨張装置５５のシロッコファン５６により、バルーン４０外部の空気が下側プレート部材６２の小孔（図示せず）から筒部材６３の内部に送り込まれ、筒部材６３の内部を通過したのち上側プレート部材６５の通風孔（図示せず）からバルーン４０の内部に送られる。
【００３３】
このようにシロッコファン５６を用いて外部空気をバルーン４０の内部に送り込むことで、図２に示すように、バルーン４０が所定の照明可能な状態まで膨張する。なお、バルーン４０を収縮させるには、バルーン膨張装置５５の作動を停止し、バルーン４０内部の空気をバルーン４０のエア抜き穴（図示せず）等から外部へ排出するようにすればよい。
【００３４】
次に、バルーン膨張装置５５を用いてバルーン４０を膨張させたのち、第１スイッチ９１（図３を参照）をオン状態にしてメタルハライドランプ５１を点灯させる。そうすると、メタルハライドランプ５１から発せられた光がバルーン４０における下側の半楕円部４２を透過し、これにより照明バルーン４が発光する。このようにして、照明バルーン４からグレアが低く目に優しい光が発せられ、バルーン照明機１による照明が行われる。なお、メタルハライドランプ５１が上側プレート部材６５（支持脚部６０）を用いてバルーン４０の内部中央に固定保持されているため、メタルハライドランプ５１から発せられた光はバルーン４０の内面全体を一様に照らし、輝度ムラが少なく、ほぼ一様な明るさを有する光が照明バルーン４から発せられる。
【００３５】
ところで、前述したように、供給電圧の急激な変動や瞬断によりメタルハライドランプ５１の立ち消えが生じる場合があり、このとき照度は０ルクスとなる。立ち消えが生じた場合には、第１スイッチ９１を再投入することによってメタルハライドランプ５１を点灯させることができるが、点灯時の発熱によりメタルハライドランプ５１の発光管（図示せず）が高温状態で、かつ発光管内の圧力が高い状態にあり、放電電圧が高くなるため、安定器８０からの引加電圧では放電が行われず点灯ができない。発光管が自然冷却し、放電電圧が安定器８０からの引加電圧まで低下すると再び放電を開始し、発光管は徐々に光束を増して定格光束に達する。この間１５分程度の時間を必要とし（すなわち、再点灯に時間を要し）、周囲に他の光源がない場合には暗闇となる。
【００３６】
そこで、メタルハライドランプ５１が立ち消えになった場合、第２スイッチ９２（図３を参照）をオン状態にして、メタルハライドランプ５１に対し独立して点灯および消灯可能な白熱ランプ５２を補助的に点灯させる。そうすると、白熱ランプ５２から発せられた光がバルーン４０における下側の半楕円部４２を透過し、メタルハライドランプ５１を点灯させる場合よりも低い輝度で照明バルーン４が発光する。このようにして、メタルハライドランプ５１が立ち消えになった場合、これが再点灯するまでの間、白熱ランプ５２を点灯させ補助照明として機能させることで、ランプが立ち消えになった場合における作業の安全性を向上させることができる。
【００３７】
また、白熱ランプ５２を点灯させるのはメタルハライドランプ５１の消灯時に補助的に点灯させる場合に限られない。例えば、白熱ランプ５２を単独で点灯させることでバルーン照明機１を防犯用常夜灯として使用することができ、メタルハライドランプ５１を点灯する場合に比べて大幅な省エネルギー化、およびエネルギーコストの削減が可能である。また例えば、白熱ランプ５２はメタルハライドランプ５１より光束および演色性が低いため、１台のバルーン照明機１で、メタルハライドランプ５１の点灯による照度および演色性が高い照明シーンと、白熱ランプ５２の点灯による照度および演色性が低い照明シーンの２つの照明シーンを作り出すことが可能である。
【００３８】
なお、白熱ランプ５２がメタルハライドランプ５１の近傍、すなわちバルーン４０の内部中央近傍で上側プレート部材６５（支持脚部６０）に固定保持されているため、白熱ランプ５２から発せられた光がバルーン４０の内面全体を一様に照らし、輝度ムラが少なく、ほぼ一様な明るさを有する光が照明バルーン４から発せられる。
【００３９】
以上のような構成のバルーン照明機１によれば、メタルハライドランプ５１および白熱ランプ５２が互いに独立して点灯および消灯可能に構成されているため、メタルハライドランプ５１が立ち消えになった場合、これが再点灯するまでの間、白熱ランプ５２を点灯させることで補助照明として機能させることができることから、ランプが立ち消えになった場合における作業の安全性を向上させることができる。
【００４０】
また、白熱ランプ５２を点灯させることでバルーン照明機を防犯用常夜灯として使用することができ、メタルハライドランプ５１を点灯する場合に比べて大幅な省エネルギー化、およびエネルギーコストの削減が可能である。さらに、白熱ランプ５２はメタルハライドランプ５１より光束および演色性が低くなっているため、１台のバルーン照明機で、メタルハライドランプ５１の点灯による照度および演色性が高い照明シーンと、白熱ランプ５２の点灯による照度および演色性が低い照明シーンの２つの照明シーンを作り出すことができる。
【００４１】
また、白熱ランプ５２がメタルハライドランプ５１の近傍で上側プレート部材６５（支持脚部６０）に固定保持されることで、白熱ランプ５２から発せられた光がバルーンの内面全体を一様に照らすため、輝度ムラが少なく、ほぼ一様な明るさを有する光を照明バルーン４から発することができる。
【００４２】
さらに、移動自在の台車２と、台車２上に配設された昇降装置３とを有して構成されることで、バルーン照明機１を容易に移動させることができるとともに、バルーン照明機１（照明バルーン４）の高さを容易に変えることができる。
【００４３】
なお、上述の実施形態において、バルーン照明機１に設けられるバルーン支持部として、移動自在の台車２と、台車２上に配設された昇降装置３とを有して構成されているが、これに限られるものではない。例えば、図４に示すように、バルーン照明機２０１に設けられるバルーン支持部として、折り畳み可能な三脚２０２と、この三脚２０２上に配設されて上端が前述の照明バルーン４と連結される伸縮可能な支持装置２０３とを有して構成されるようにしてもよい。このようにすれば、バルーン照明機２０１をよりコンパクトに収納することができる。
【００４４】
また、上述の実施形態において、本発明に係るバルーン照明機としていわゆるエア式のバルーン照明機１（空気の給排によりバルーンが膨張・収縮可能なバルーン照明機）を例に説明しているが、これに限られるものではなく、いわゆる折り畳み式のバルーン照明機（折り畳み機構によりバルーンが膨張・収縮可能なバルーン照明機）の場合にも本発明を適用することができる。
【００４５】
さらに、上述の実施形態において、バルーン照明機１に構成される高輝度点灯ランプとしてメタルハライドランプ５１が用いられているが、これに限られるものではなく、高圧ナトリウムランプや水銀ランプ等のＨＩＤランプ（High Intensity Discharge Lamps）を用いた場合にも、本発明を適用することができる。さらに、ＨＩＤランプに限らず、再点灯に時間を要するランプを用いた場合に、本発明を適用することができる。
【００４６】
また、上述の実施形態において、バルーン照明機１に構成される補助ランプとして白熱ランプ５２が用いられているが、これに限られるものではなく、ハロゲンランプや電球型蛍光ランプを用いるようにしてもよい。
【００４７】
さらに、上述の実施形態において、メタルハライドランプ５１が立ち消えになった場合、第２スイッチ９２をオン状態にして（手動で）白熱ランプ５２を点灯させているが、これに限られるものではなく、例えば、制御装置等を用いて、メタルハライドランプ５１が立ち消えになった場合に白熱ランプ５２が自動点灯するように構成されてもよい。
【００４８】
また、上述の実施形態において、チョークコイル形安定器（銅鉄式安定器）である安定器８０が用いられているが、これに限られるものではなく、例えば、インバータ式安定器（電子安定器）を用いるようにしてもよく、メタルハライドランプ５１（高輝度点灯ランプ）に対応した安定器を用いるようにすればよい。
【図面の簡単な説明】
【００４９】
【図１】本発明に係るバルーン照明機の側面図である。
【図２】上記バルーン照明機に構成される照明バルーンの正断面図である。
【図３】上記バルーン照明機に構成される点灯回路の回路図である。
【図４】バルーン照明機の変形例を示す正面図である。
【図５】従来のバルーン照明機に構成される点灯回路の回路図である。
【符号の説明】
【００５０】
１  バルーン照明機
２  台車（バルーン支持部）
３  昇降装置（バルーン支持部）
４  照明バルーン
４０  バルーン
５０  照明装置
５１  メタルハライドランプ（高輝度点灯ランプ）
５２  白熱ランプ（補助ランプ）
５５  バルーン膨張装置
６０  支持脚部
６５  上側プレート部材（ランプ保持部）
６６  ＨＩＤ用モーガルソケット
６７  電球用ソケット
２０１  バルーン照明機（変形例）
２０２  三脚
２０３  支持装置
【図１】
2006120514.tif 000003
【図２】
2006120514.tif 000004
【図３】
2006120514.tif 000005
【図４】
2006120514.tif 000006
【図５】
2006120514.tif 000007